(57)【要約】【課題】  サイズ変更のタイミングを容易に判断することができ、着用者の体型に合ったおむつを選択することができる着用物品群を提供する。【解決手段】  サイズの異なるＳサイズおむつ１ａ、Ｍサイズおむつ１ｂ、Ｌサイズおむつ１ｃによって着用物品群を形成している。各サイズのおむつ１ａ，１ｂ，１ｃは、それぞれ前後ウエスト域１１，１２の横方向の長さ寸法が異なり、これら前後ウエスト域１１，１２の前後端縁１７，１８で形成されるウエスト開口の周方向の寸法が異なるように形成されている。各サイズのおむつ１ａ，１ｂ，１ｃには、それを着用する着用者の標準のウエストサイズがそれぞれ設定され、各サイズのおむつの第２係合部材３２には、上記標準サイズを示す対象表示領域９１〜９３と、標準サイズには当てはまらない域外表示領域９４〜９７とが表示されている。【選択図】図３
2010148731.tif 000002
【特許請求の範囲】
【請求項１】
縦方向および横方向と、身体側およびその反対側と、前ウエスト域および後ウエスト域の一方である第１ウエスト域、ならびに前記前ウエスト域および後ウエスト域の他方である第２ウエスト域と、前記第１および第２ウエスト域間に位置するクロッチ域とを含むシャーシと、前記第１ウエスト域に取り付けられた第１係合部材および前記第２ウエスト域に位置して前記第１係合部材と脱離可能に係合する第２係合部材から構成されるファスニングシステムと、前記ファスニングシステムの係合によって形成されるウエスト開口および一対のレッグ開口とを含み、前記ウエスト開口の周方向のサイズが異なる複数の着用物品を含む着用物品群において、
前記第２係合部材は、前記第１係合部材を前記横方向の任意の位置に係合可能であるとともに、前記各着用物品の着用対象者のウエストの標準サイズとして表示される対象表示領域と、前記対象表示領域よりも前記横方向内側および外側の少なくともいずれか一方であって前記標準サイズに当てはまらないことが表示される域外表示領域とを含み、前記域外表示領域に前記第１係合部材を位置させた際の前記ウエスト開口の周方向の寸法と、他の前記着用物品の前記対象表示領域に前記第１係合部材を位置させた際の前記ウエスト開口の周方向の寸法とが、一致するように対応させて形成されることを特徴とする前記着用物品群。
【請求項２】
前記対象表示領域および域外表示領域は、前記第２係合部材に文字、図および色の少なくともいずれかひとつによって形成される請求項１記載の着用物品群。
【請求項３】
前記対象表示領域および域外表示領域は、前記着用物品の前記横方向の長さ寸法を二等分する仮想の縦中心線に対して対称に形成される請求項１または２記載の着用物品群。
【請求項４】
前記対象表示領域と、該対象表示領域に対応する他の前記着用物品に表示された対象表示領域とが、同一の文字、図および色の少なくともいずれかひとつによって表示される請求項１〜３のいずれかに記載の着用物品群。
【請求項５】
前記ファスニングシステムは、メカニカルファスナのフック要素とループ要素とから構成され、または感圧性接着層と、該接着層が剥離可能に接合する被着層とから構成される請求項１〜４のいずれかに記載の着用物品群。
【発明の詳細な説明】
【技術分野】
【０００１】
この発明は、複数の着用物品を含む着用物品群に関し、さらに詳しくは使い捨てのおむつ、トイレット・トレーニングパンツ、失禁ブリーフ、生理用ショーツ、おむつカバー等の、着用時に前後ウエスト域を互いに係合するタイプの着用物品を複数含む着用物品群に関する。
【背景技術】
【０００２】
従来、着用時に背側部と腹側部とを係合するいわゆるオープンタイプの使い捨ておむつとして、例えば、特開２００８−１６８１１５号公報（特許文献１）が公知である。この特許文献１では、着用時に背側部と腹側部とを互いに連結させるためのファスニングテープをおむつの背側部におけるその左右両側部に取り付けている。ファスニングテープに係合可能なランディングテープを腹側部の裏面シートに取り付け、これらファスニングテープとランディングテープとを係合することによって、ウエスト開口およびレッグ開口が形成され、着用者に対しておむつを着用させることができる。
【０００３】
ランディングテープには、ファスニングテープの止着位置を示す複数の指標が表示されている。指標として、例えば、「きっちり」「ゆったり」「ぴったり」などの言葉がランディングテープに印刷されている。おむつを着用者に対してきつめにフィットさせたい場合には、ファスニングテープを「きっちり」の位置に合わせて止着し、緩めに着用したい場合には「ゆったり」の位置に合わせて止着することができる。
【特許文献１】特開２００８−１６８１１５号公報（ＪＰ  ２００８−１６８１１５  Ａ）
【発明の開示】
【発明が解決しようとする課題】
【０００４】
上記のようなおむつにおいて、着用者の体型に応じてそのサイズを選ぶことができるように、例えばＳ、Ｍ、Ｌサイズの製品が製造販売されていることがある。着用者の体型が変化しない場合には、一度サイズが定まると、そのサイズのおむつを使用し続けることができ、「きっちり」または「ゆったり」等の止着位置を選択して着用することができる。しかし、着用者が太ったり、痩せたりしてその体型が大きく変化した場合には、ファスニングテープの位置を変えるだけでは、着用者におむつを密着させることができず、小さいサイズや大きいサイズのおむつに変更しなければならない事態が生じる。また、着用者が乳幼児の場合には、成長に応じておむつもサイズアップしていかなければならない。このような場合に、今のままのサイズでよいのか、どのタイミングで一つ大きいサイズまたは小さいサイズのおむつにしたらよいのかの判断が困難であり、他のサイズのおむつを試してみなければ判断できないという問題があった。すなわち、異なるサイズのおむつを買ってみたが、そのサイズが合わなかったという事態が発生することも考えられる。サイズの合わないおむつを着用すると、尿等の漏れや肌トラブルの原因となる可能性がある。また、通常、おむつは複数個がセットになってパッケージされているので、サイズが合わない場合には、他のおむつを廃棄することとなり不経済である。
【０００５】
この発明では、サイズ変更のタイミングを容易に判断することができ、着用者の体型に合ったおむつを選択することができる着用物品群を提供することを課題とする。
【課題を解決するための手段】
【０００６】
この発明は、縦方向および横方向と、身体側およびその反対側と、前ウエスト域および後ウエスト域の一方である第１ウエスト域、ならびに前記前ウエスト域および後ウエスト域の他方である第２ウエスト域と、前記第１および第２ウエスト域間に位置するクロッチ域とを含むシャーシと、前記第１ウエスト域に取り付けられた第１係合部材および前記第２ウエスト域に位置して前記第１係合部材と脱離可能に係合する第２係合部材から構成されるファスニングシステムと、前記ファスニングシステムの係合によって形成されるウエスト開口および一対のレッグ開口とを含み、前記ウエスト開口の周方向のサイズが異なる複数の着用物品を含む着用物品群の改良に関わる。
【０００７】
この発明は前記着用物品群において、前記第２係合部材は、前記第１係合部材を前記横方向の任意の位置に係合可能であるとともに、前記各着用物品の着用対象者のウエストの標準サイズとして表示される対象表示領域と、前記対象表示領域よりも前記横方向内側および外側の少なくともいずれか一方であって前記標準サイズに当てはまらないことが表示される域外表示領域とを含み、前記域外表示領域に前記第１係合部材を位置させた際の前記ウエスト開口の周方向の寸法と、他の前記着用物品の前記対象表示領域に前記第１係合部材を位置させた際の前記ウエスト開口の周方向の寸法とが、一致するように対応させて形成されることを特徴とする。
【０００８】
好ましい実施態様のひとつとして、前記対象表示領域および域外表示領域は、前記第２係合部材に文字、図および色の少なくともいずれかひとつによって形成される。
【０００９】
好ましい他の実施態様のひとつとして、前記対象表示領域および域外表示領域は、前記着用物品の前記横方向の長さ寸法を二等分する仮想の縦中心線に対して対称に形成される
【００１０】
好ましい他の実施態様のひとつとして、前記対象表示領域と、該対象表示領域に対応する他の前記着用物品に表示された対象表示領域とが、同一の文字、図および色の少なくともいずれかひとつによって表示される。
【００１１】
好ましい他の実施態様のひとつとして、前記ファスニングシステムは、メカニカルファスナのフック要素とループ要素とから構成され、または感圧性接着層と、該接着層が剥離可能に接合する被着層とから構成される。
【発明の効果】
【００１２】
この発明では、ウエスト開口の周方向のサイズが異なる複数の着用物品を含む着用物品群において、各着用物品は、ファスニングシステムの第２係合部材に第１係合部材を係合させて、ウエスト開口を形成する。第２係合部材には、各サイズの着用物品において対象としている対象者のウエストの標準サイズを表示する対象表示領域と、標準サイズに当てはまらないことを表示する域外表示領域とを含む。一のサイズの着用物品において、第１係合部材を域外表示領域に係合した際のウエスト開口のサイズと、他のサイズの着用物品において、第１係合部材を対象表示領域に係合した際のウエスト開口のサイズとが一致する。したがって、一のサイズの着用物品を着用した際に、第１係合部材が域外表示領域に位置する場合には、この域外表示領域に対応する対象表示領域を有する他のサイズの着用物品を選択することによって、着用物品を常に着用者の体型に適合させることができる。第１係合部材を第２係合部材に係合するだけで、一見して、着用者にそのサイズが適合しているのか、サイズ変更が必要であるのかを認識することができ、サイズの変更のタイミングを適切に判断することができる。したがって、常に着用者の体型に合ったおむつを選択することができる
【発明を実施するための最良の形態】
【００１３】
着用物品として大人用の使い捨ておむつを用い、この発明の一例を説明する。
【００１４】
この発明の着用物品群は、例えばＳサイズ、Ｍサイズ、Ｌサイズのサイズの異なる着用物品を含むものである。図１および２では、Ｓサイズのおむつ１を例に挙げて説明するが、ここで説明するのは、すべてサイズの着用物品に共通する構成である。
図１はおむつ１の組み立て状態における斜視図であり、図２はおむつ１の展開図であって説明のためにその一部を破断している。図示したように、おむつ１はシャーシ２０とファスニングシステムであるメカニカルファスナ３０とを含む。おむつ１は、縦方向Ｙに連なる前ウエスト域１１、後ウエスト域１２、これら前後ウエスト域１１，１２の間に位置するクロッチ域１３を含む。
【００１５】
シャーシ２０は、身体側に位置する内面シート２１と、身体側とは反対側である着衣側に位置する外面シート２２と、これら内外面シート２１，２２の間に位置する吸液構造体４０とを含む。吸液構造体４０は、吸液性芯材４１と、この吸液性芯材４１を覆う液拡散シート４２とを含む。内外面シート２１，２２は液透過性の繊維不織布等、吸液性芯材４１はフラッフパルプと高吸収性ポリマー粒子との混合物等、液拡散シート４２はティッシュペーパ等、それぞれ当技術分野の慣用素材を用いることができる。
【００１６】
シャーシ２０は、後ウエスト域１２において、横方向Ｘに対向して縦方向Ｙに延びる一対の第１側縁部１４と、前ウエスト域１１において、横方向Ｘに対向して縦方向Ｙに延びる一対の第２側縁部１５と、これら第１および第２側縁部１４，１５の縦方向Ｙの間であってクロッチ域１３に形成されるクロッチ側縁１６とを含む。シャーシ２０は、横方向Ｘに延びる前後端縁１７，１８を含み、後端縁１８に沿って複数のウエスト弾性部材８１が横方向Ｘに伸長状態で収縮可能に取り付けられている。また、少なくともクロッチ側縁１６に沿って複数のレッグ弾性部材８２が、縦方向Ｙに伸長状態で収縮可能に取り付けられている。これら弾性部材８１，８２は、内外面シート２１，２２の間であって、これらシート２１，２２の少なくともいずれか一方に接合されている。
【００１７】
第１側縁部１４には、横方向Ｘ外側に延出するサイドシート５０がそれぞれ取り付けられ、サイドシート５０の身体側にはシート状のタブ部材６０を介して第１係合部材３１が取り付けられる。第１係合部材３１は、ファスニングシステムを構成するメカニカルファスナのフック要素によって形成されている。サイドシート５０は、横方向Ｘの内側縁５１を内外面シート２１，２２の間に位置させて取り付けられ、外側縁５２が第１側縁部１４から延出している。外側縁５２は、第１係合部材３１よりも横方向Ｘ外側に位置する。この外側縁５２の近傍を挟持して、第１係合部材３１を第２係合部材に係合することができる。
【００１８】
前ウエスト域１１の着衣側には、第１係合部材３１に脱離可能に係合し、ファスニングシステムを構成する第２係合部材３２が取り付けられている。第２係合部材３２は、外面シート２２に取り付けられる基材シートと、この基材シートに形成されたループ要素とによって形成される（図示せず）。第２係合部材３２は、ループ要素を介して基材シートが透視可能であり、基材シートに絵や文字を画いたり、着色したりした場合には、これを着衣側から視認することができる。第２係合部材３２は、一方の第２側縁部１５から他方の第２側縁部１５へと前ウエスト域１１の横方向Ｘのほぼ全体に亘って形成され、着用者のウエストの大きさに合わせて、第１係合部材３１の係合位置を横方向Ｘに調節することができるようにしている。
【００１９】
上記のように形成された第１係合部材３１を、第２係合部材３２に係合させることによって、前後ウエスト域１１，１２を互いに連結させて、おむつ１を図１に示したようなパンツ形状に形成することができる。おむつ１には、着用者のウエストを囲繞するウエスト開口７１と、足の付け根を囲繞するレッグ開口７２とが形成される。
【００２０】
なお、前記ファスニングシステムに代えて別のファスニングシステムを選択することができる。すなわち、第１係合部材であるフック要素に代えて、感圧性接着剤を塗布して接着層を形成し、かつ、第２係合部材３２であるループ要素に代えて前記接着層を形成したタブを剥離可能に接合するプラスチックフィルムによって被着層を形成することができる。
【００２１】
この発明では、サイズの異なるＳサイズ、Ｍサイズ、Ｌサイズのおむつによって着用物品群を形成している。図３（ａ）〜（ｃ）に示したのは、Ｓ、Ｍ、Ｌサイズおむつ１ａ，１ｂ，１ｃであって、外面シート２２から見たときの平面図の概略である。各サイズのおむつ１ａ，１ｂ，１ｃは、それぞれ前後ウエスト域１１，１２の横方向Ｘの長さ寸法が異なり、これら前後ウエスト域１１，１２の前後端縁１７，１８で形成されるウエスト開口７１の周方向の寸法が異なるように形成されている。Ｓサイズおむつ１ａは、ウエスト開口７１の寸法が６３〜９０ｃｍ、Ｍサイズおむつ１ｂは６７〜１０６ｃｍ、Ｌサイズおむつ１ｃは８１〜１２８ｃｍの間で調整可能となっている。各サイズのおむつ１ａ，１ｂ，１ｃには、それを着用する着用者の標準のウエストサイズがそれぞれ設定されており、その標準サイズは、Ｓサイズおむつ１ａでは８４ｃｍよりも小さい、Ｍサイズおむつ１ｂでは８４〜１００ｃｍ、Ｌサイズおむつ１ｃでは１００ｃｍよりも大きい、としている。
【００２２】
各おむつ１ａ，１ｂ，１ｃの第２係合部材３２には、上記標準サイズを示す対象表示領域９１〜９３と、標準サイズには当てはまらない域外表示領域９４〜９７とが表示されている。これら領域９１〜９７は、仮想の縦中心線Ｐ−Ｐに対称に形成されている。図３（ａ）で示したように、Ｓサイズおむつ１ａの対象表示領域９１には、例えばハートのマークを表示している。対象表示領域９１に第１係合部材３１が係合されたときには、ウエスト開口の寸法が８４ｃｍ以下であり、着用者のウエストサイズが標準サイズの範囲内である８４ｃｍ以下であることを示す。
なお、第１係合部材３１が係合されたときとは、サイドシート５０の外側縁５２が各領域に位置する場合を示している。
【００２３】
対象表示領域９１の横方向Ｘ外側には、域外表示領域９４が形成され、ダイヤのマークが表示されている。域外表示領域９４に第１係合部材３１が係合されたときには、ウエスト開口の寸法が８４ｃｍよりも大きく、着用者のウエストサイズが標準サイズの範囲外であることを示す。
【００２４】
図３（ｂ）で示したように、Ｍサイズおむつ１ｂには、対象表示領域９２が形成され、ダイヤのマークが表示されている。このマークは、Ｓサイズおむつ１ａの域外表示領域９４に表示されたマークと同じである。Ｍサイズおむつ１ｂの対象表示領域９２の横方向Ｘ内側には、ハートマークが表示された域外表示領域９５が形成されている。このマークはＳサイズおむつ１ａの対象表示領域９１に表示されたマークと同じである。さらに、Ｍサイズおむつ１ｂの対象表示領域９２の外側には、域外表示領域９６が形成され、クローバーのマークが表示されている。
【００２５】
このようなＭサイズおむつ１ｂを着用者に着用させ、第１係合部材３１が内側の域外表示領域９５に位置した場合には、ウエスト開口７１の寸法および着用者のウエストサイズが６７〜８３ｃｍであり、標準サイズに当てはまらないことを示す。一方、第１係合部材３１が対象表示領域９２に位置した場合には、ウエスト開口７１の寸法および着用者のウエストサイズが８４〜１００ｃｍであり、標準サイズ内であることを示し、外側の域外表示領域９６に位置した場合には、１００ｃｍよりも大きく、標準サイズに当てはまらないことを示す。
【００２６】
図３（ｃ）で示したように、Ｌサイズおむつ１ｃの対象表示領域９３には、クローバーのマークが表示されている。このマークは、Ｍサイズおむつ１ｂの外側の域外表示領域９６に表示されたマークと同じである。Ｌサイズおむつ１ｃの対象表示領域９３の横方向Ｘ内側には、ダイヤのマークが表示された域外表示領域９７が形成されている。このダイヤのマークは、Ｍサイズおむつ１ｂの対象表示領域９２に表示されたマークと同じである。
【００２７】
このようなＬサイズおむつ１ｃを着用者に着用させたときに、第１係合部材３１が対象表示領域９３に位置した場合には、ウエスト開口７１の寸法および着用者のウエストサイズが１００〜１２０ｃｍであり、標準サイズ内であることを示す。第１係合部材３１が域外表示領域９７に位置した場合には、ウエスト開口７１および着用者のウエストサイズが、８１〜９９ｃｍであって、標準サイズに当てはまらないことを示す。
【００２８】
上記のような各サイズのおむつ１ａ，１ｂ，１ｃにおいて、例えばＳサイズおむつ１ａを使用していた場合に、前後ウエスト域１１，１２を着用者のウエストに密着させて着用した際、第１係合部材３１が形成されたサイドシート５０の外側縁５２が、対象表示領域９１に位置すれば、着用者のウエストサイズは、Ｓサイズおむつ１ａで設定された標準サイズに適合していると判断することができる。一方、域外表示領域９４に位置した場合には、Ｓサイズおむつ１ａの標準サイズよりも、着用者のウエストサイズの方が大きいということであり、ひとつ大きなサイズのＭサイズおむつ１ｂに変更すべきであると判断することができる。Ｍサイズおむつ１ｂの対象とする標準サイズと、Ｓサイズおむつ１ａの域外表示領域９４とが同じサイズとなるように関連させて設定されているので、Ｓサイズおむつ１ａからＭサイズおむつ１ｂへの移行を容易に判断できる。ここで、Ｓサイズおむつ１ａの域外表示領域９４に表示されたマークと、Ｍサイズおむつ１ｂの対象表示領域９２に表示されたマークとが、同じダイヤのマークであるので、おむつの使用者はそのマークを見るだけで、Ｓサイズおむつ１ａとＭサイズおむつ１ｂとの関連性を容易に理解することができる。
【００２９】
同様にＭサイズおむつ１ｂを着用している場合において、第１係合部材３１が対象表示領域９２に位置するときには、このサイズに適合していると判断することができ、内側の域外表示領域９５に位置するときには、ひとつ小さいサイズのＳサイズおむつ１ａへ変更すべきであり、外側の域外表示領域９６に位置するときには、一つ大きいサイズのＬサイズ１ｃおむつへ変更すべきであることを理解することができる。Ｍサイズおむつ１ｂの内側の域外表示領域９５とＳサイズおむつ１ａの対象表示領域９１とが同じサイズになるように関連させ、同じマークが表示されている。同様にＭサイズおむつ１ｂの外側の域外表示領域９６とＬサイズおむつ１ｃの対象表示領域９３とが同じサイズになるように関連させ、同じマークが表示されている。
【００３０】
Ｌサイズおむつ１ｃを着用している場合には、第１係合部材３１が対象表示領域９３に位置するときには、このサイズに適合していると判断することができ、内側の域外表示領域９７に位置するときには、一つ小さいサイズのＭサイズおむつ１ｂへ変更すべきであると判断することができる。Ｌサイズおむつ１ｃの域外表示領域９７とＭサイズおむつ１ｂの対象表示領域９２とが同じサイズになるように関連させ、同じマークが表示されている。
【００３１】
Ｓサイズおむつ１ａとＬサイズおむつ１ｃにおいては、域外表示領域９４，９７がそれぞれ一箇所のみ形成されることとしているが、Ｓサイズおむつ１ａよりも小さいＳＳサイズおむつ、またはＬサイズ１ｃおむつよりも大きいＬＬサイズおむつも着用物品群に含まれる場合には、それらに対応した表示領域を形成することができる。
各表示領域９１〜９７には、それぞれ対応するマークを表示するようにしているが、各サイズのおむつの対応関係が理解できるような表示であれば、各領域を色分けしたり、各領域の境界に印をつけたりすることもできる。また、例えばＭサイズおむつ１ｂの内側の域外表示領域９５には、「Ｓサイズおむつをご使用ください」と表示し、外側の域外表示領域９６には、「Ｌサイズおむつをご利用ください」等のメッセージを表示することもできる。
【００３２】
対象表示領域９１〜９３と域外表示領域９４〜９７とは、仮想の縦中心線Ｐ−Ｐに対して対称に形成されているので、一対の第１係合部材３１を仮想の縦中心線Ｐ−Ｐに対して均等に係合することができる。これら第１係合部材３１を均等に係合することによって、着用時におけるおむつの位置ずれを予防し、位置ずれによる尿等の漏れを防止することができる。また、一対の第１係合部材３１で、着用者に適合したサイズのおむつであるのかを判断することができ、より確実な判断をすることができる。
【００３３】
第１係合部材３１を第２係合部材３２に係合した際の係合位置を、サイドシート５０の外側縁５２で判断することとしているが、第１係合部材３１の外側縁の位置や、第１係合部材３１の縦中心線の位置等で判断することとしてもよい。第１係合部材３１の縦中心線の位置で判断する場合には、この判断が容易となるように、縦中心線に沿って印をつけるようにしてもよい。
【００３４】
この発明において、着用物品群として、Ｓ，Ｍ，Ｌサイズのおむつを含んでいるが、これに限られることなく、サイズの異なる少なくとも２つのおむつを含むものであればよい。また、この着用物品群は、大人用のおむつを対象としているがこれに限ったものではない。例えば乳幼児用のおむつを対象とすることもでき、また、サイズ毎に構成の異なる着用物品が含まれてもよい。
第２係合部材３２に表示領域を形成する絵や文字等が表示されているが、シャーシ２０に表示され、第２係合部材３２を介して視認可能としているものでもよいし、第２係合部材３２の上下左右に表示されているものでもよい。すなわち、利用者が表示領域を視認できるものであればよい。
【００３５】
フック要素およびループ要素としては、例えばこの発明に係る着用物品の技術分野で慣用されている「ベルクロ（登録商標）」や「マジックテープ（登録商標）」を用いることができる。
ウエスト弾性部材８１およびレッグ弾性部材８２は、複数条の糸状、ストランド状、テープ状などのゴム弾性を有する材料によって形成され、これら材料の収縮力によって、ウエスト開口およびレッグ開口が着用者にフィットし尿等の漏れを防止するようにしている。これらウエスト弾性部材８１およびレッグ弾性部材８２は、天然ゴムまたはポリウレタン等の合成ゴム等のゴム弾性を有する材料を用いることができ、これら各材料に替えて、ゴム弾性を有する繊維不織布やプラスチックシート等を用いることもでき、一般的な弾性部材を使用することができる。第１および第２係合部材は、フック要素およびループ要素に限定されることなく、これらが逆になってもよいし、他の手段を用いて前後ウエスト域を連結させてもよい。
【００３６】
タブ部材６０は、必須の構成要素ではなく、サイドシート５０の強度等によっては用いる必要がない。サイドシート５０およびタブ部材６０は、通気性かつ透液性の繊維不織布等を用いることができる。第１係合部材３１は、後ウエスト域１２に形成されているが、第２係合部材３２との係合によって、前後ウエスト域１１，１２を連結することができるものであれば、前ウエスト域１１に形成することもできる。
【００３７】
なお、おむつ等の着用物品を市販に供するため、該着用物品を包装するパッケージの適宜部位には、当該サイズに対応する図３のいずれかと、その意義を説明する文言とを表示することが好ましい。
【図面の簡単な説明】
【００３８】
【図１】おむつの斜視図。
【図２】図１のおむつの展開図。
【図３】（ａ）Ｓサイズおむつの概要図。（ｂ）Ｍサイズおむつの概要図。（ｃ）Ｌサイズおむつの概要図。
【符号の説明】
【００３９】
１    おむつ
１１    前ウエスト域
１２    後ウエスト域
１３    クロッチ域
１４    第１側縁
１５    第２側縁
１６    クロッチ側縁
２０    シャーシ
３１    第１係合部材
３２    第２係合部材
７１    ウエスト開口
７２    レッグ開口
９１    対象表示領域
９２    対象表示領域
９３    対象表示領域
９４    域外表示領域
９５    域外表示領域
９６    域外表示領域
【図１】
2010148731.tif 000003
【図２】
2010148731.tif 000004
【図３】
2010148731.tif 000005